(57)【特許請求の範囲】
【請求項１】
互いに同方向に向かって開口する第一の開口部と第二の開口部とをそれぞれ備えていて、当該第一の開口部及び第二の開口部でそれぞれ上部が開口している鞄の対向している開口端縁を挟持する第一の挟持部と第二の挟持部とが組み合わされてなる挟持具であって、
前記第一の挟持部及び前記第二の挟持部はそれぞれ第一の挟持部第一挟持片と第一の挟持部第二挟持片、第二の挟持部第一挟持片と第二の挟持部第二挟持片とを備えており、
前記第一の開口部で前記開口端縁を挟持している状態及び前記第一の開口部で前記開口端縁を挟持していない状態のいずれのときも、前記第一の挟持部第一挟持片の前記第一の開口部側の端と前記第一の挟持部第二挟持片の前記第一の開口部側の端とが互いに接近する方向に第一の付勢手段によって常に付勢されていて、当該第一の付勢手段による付勢力に抗して前記第一の開口部を開口して前記開口端縁を挿入し、前記第一の付勢手段による付勢力によって前記第一の開口部で前記開口端縁を挟持し、
前記第二の開口部で前記開口端縁を挟持している状態及び前記第二の開口部で前記開口端縁を挟持していない状態のいずれのときも、前記第二の挟持部第一挟持片の前記第二の開口部側の端と前記第二の挟持部第二挟持片の前記第二の開口部側の端とが互いに接近する方向に第二の付勢手段によって常に付勢されていて、当該第二の付勢手段による付勢力に抗して前記第二の開口部を開口して前記開口端縁を挿入し、前記第二の付勢手段による付勢力によって前記第二の開口部で前記開口端縁を挟持し、
前記第一の挟持部第一挟持片の前記第二の挟持部に対応する側の面及び前記第二の挟持部第一挟持片の前記第一の挟持部に対応する側の面それぞれに前記第一の挟持部第一挟持片の前記第二の挟持部に対応する側の面と、前記第二の挟持部第一挟持片の前記第一の挟持部に対応する側の面とを掛脱自在に掛合する掛合手段からなる着脱手段が備えられていて、当該着脱手段によって、前記第一の開口部と前記第二の開口部とを同じ方向に向けた状態の前記第一の挟持部と第二の挟持部とが着脱自在になっていて、
前記第一の挟持部の第一の開口部及び、前記第二の挟持部の第二の開口部が、同一の方向を向いて、それぞれ、前記上部が開口している鞄の対向している開口端縁を挟持している状態で、前記掛合手段同士が掛合されて、前記鞄の開口部を閉じる
ことを特徴とする挟持具。
【請求項２】
前記掛合手段が磁石であることを特徴とする請求項１記載の挟持具。
【請求項３】
前記掛合手段が面ファスナーであることを特徴とする請求項１記載の挟持具。
【発明の詳細な説明】
【技術分野】
【０００１】
この発明は、被挟持物を挟持するクリップなどの挟持具に関し、特に、上部に開口部が形成されているトートバッグのような鞄の上端縁を挟持して当該開口部を開閉するなどの挟持具に関する。
【背景技術】
【０００２】
本願出願人は、ワイシャツやブラウスなどの衣服において従来から使用されているボタンとこれに対応するボタン孔との組み合わせによる留め合わせに替えて、ボタン及びボタン孔を用いずに留め合わせることができる衣服用クリップを提案している（特許文献１）。
【０００３】
当該衣服用クリップによって、ワイシャツやブラウスなどの衣服のデザイン開発や製造工程において必ずボタン及びボタン孔を設けねばならないという制約から解放され、また、ボタン及びボタン孔を設ける必要がなくなることから斬新なデザインやアイデアが誕生する可能性がある。
【先行技術文献】
【特許文献】
【０００４】
【特許文献１】特開２０１１−２１２０３３号公報
【発明の概要】
【発明が解決しようとする課題】
【０００５】
上述のワイシャツやブラウスなどの衣服のほか、特許文献１記載のクリップを他の物品へ応用し、新たな用途を見出すことが考えられる。
【０００６】
例えば、トートバッグなどの上部が開口している鞄においては、当該開口している開口部を開閉するため、その上端縁側にスナップボタンなどの留め具が備えられているもの又は備えられていないものなど、様々なデザインの鞄が知られている。
【０００７】
トートバッグなどの上部が開口している鞄において従来から使用されているスナップボタンなどの留め具を用いずに当該鞄の開口部を開閉することができるならば、スナップボタンなどの留め具を用いていない鞄を購入者がより選択しやすくなるという期待が高まる。
【０００８】
また、鞄内に収容する荷物の量が使用者の予想に反して増えた場合に、鞄内に荷物を確実に収容する必要もある。
【０００９】
そこで、この発明は、トートバッグなどの上部が開口している鞄において従来から使用されているスナップボタンなどの留め具を用いずに当該鞄の開口部を開閉することができる鞄の開口部の開閉用の挟持具を提供することを目的にしている。
【００１０】
また、この発明は、上述の鞄の開口部を開閉することができる鞄の開口部の開閉用だけでなく、ワイシャツやブラウスなどの衣服において従来から使用されているボタンとこれに対応するボタン孔との組み合わせによる留め合わせに替えて、ボタン及びボタン孔を用いずに留め合わせることも可能にする衣服用の挟持具を提案することを目的にしている。
【課題を解決するための手段】
【００１１】
上記課題を解決するため、以下の発明を提案する。
【００１２】
請求項１の発明は、
互いに同方向に向かって開口する第一の開口部と第二の開口部とをそれぞれ備えていて、当該第一の開口部及び第二の開口部でそれぞれ上部が開口している鞄の対向している開口端縁を挟持する第一の挟持部と第二の挟持部とが組み合わされてなる挟持具であって、
前記第一の挟持部及び前記第二の挟持部はそれぞれ第一の挟持部第一挟持片と第一の挟持部第二挟持片、第二の挟持部第一挟持片と第二の挟持部第二挟持片とを備えており、
前記第一の開口部で前記開口端縁を挟持している状態及び前記第一の開口部で前記開口端縁を挟持していない状態のいずれのときも、前記第一の挟持部第一挟持片の前記第一の開口部側の端と前記第一の挟持部第二挟持片の前記第一の開口部側の端とが互いに接近する方向に第一の付勢手段によって常に付勢されていて、当該第一の付勢手段による付勢力に抗して前記第一の開口部を開口して前記開口端縁を挿入し、前記第一の付勢手段による付勢力によって前記第一の開口部で前記開口端縁を挟持し、
前記第二の開口部で前記開口端縁を挟持している状態及び前記第二の開口部で前記開口端縁を挟持していない状態のいずれのときも、前記第二の挟持部第一挟持片の前記第二の開口部側の端と前記第二の挟持部第二挟持片の前記第二の開口部側の端とが互いに接近する方向に第二の付勢手段によって常に付勢されていて、当該第二の付勢手段による付勢力に抗して前記第二の開口部を開口して前記開口端縁を挿入し、前記第二の付勢手段による付勢力によって前記第二の開口部で前記開口端縁を挟持し、
前記第一の挟持部第一挟持片の前記第二の挟持部に対応する側の面及び前記第二の挟持部第一挟持片の前記第一の挟持部に対応する側の面それぞれに前記第一の挟持部第一挟持片の前記第二の挟持部に対応する側の面と、前記第二の挟持部第一挟持片の前記第一の挟持部に対応する側の面とを掛脱自在に掛合する掛合手段からなる着脱手段が備えられていて、当該着脱手段によって、前記第一の開口部と前記第二の開口部とを同じ方向に向けた状態の前記第一の挟持部と第二の挟持部とが着脱自在になっていて、
前記第一の挟持部の第一の開口部及び、前記第二の挟持部の第二の開口部が、同一の方向を向いて、それぞれ、前記上部が開口している鞄の対向している開口端縁を挟持している状態で、前記掛合手段同士が掛合されて、前記鞄の開口部を閉じる
ことを特徴とする挟持具である。
【００１５】
請求項２の発明は、前記掛合手段が磁石であることを特徴とする請求項１記載の挟持具。
【００１６】
請求項３の発明は、前記掛合手段が面ファスナーであることを特徴とする請求項１記載の挟持具。
【発明の効果】
【００１７】
この発明によれば、トートバッグなどの上部が開口している鞄において従来から使用されているスナップボタンなどの留め具を用いずに当該鞄の開口部を開閉することができる鞄の開口部の開閉用の挟持具を提供することができる。
【００１８】
また、この発明によれば、上述の鞄の開口部を開閉することができる鞄の開口部の開閉用だけでなく、ワイシャツやブラウスなどの衣服において従来から使用されているボタンとこれに対応するボタン孔との組み合わせによる留め合わせに替えて、ボタン及びボタン孔を用いずに留め合わせることも可能にする衣服用の挟持具を提供することができる。
【図面の簡単な説明】
【００１９】
【図１】本発明の挟持具の第一の実施例を示す図であって、（ａ）平面図、（ｂ）第一挟持部又は第二挟持部の底面図、（ｃ）正面図、（ｄ）右側面図、（ｅ）左側面図、（ｆ）斜視図。
【図２】本発明の挟持具の第二の実施例を示す図であって、（ａ）平面図、（ｂ）第一挟持部又は第二挟持部の底面図、（ｃ）正面図、（ｄ）左側面図、（ｅ）右側面図、（ｆ）斜視図。
【図３】図１図示の本発明の挟持具の使用状態の一例を示す図であって、（ａ）鞄の上縁部に取り付けた状態、（ｂ）鞄の開口部を閉じた状態。
【図４】図２図示の本発明の挟持具の使用状態の一例を示す図であって、（ａ）鞄の上縁部に取り付けた状態、（ｂ）鞄の開口部を閉じた状態。
【図５】（ａ）本発明の挟持具の第三の実施例を示す図、（ｂ）本発明の挟持具の第四の実施例を示す図。
【図６】図５（ａ）図示の本発明の挟持具の使用状態の一例を示す図、（ｂ）図５（ｂ）図示の本発明の挟持具の使用状態の一例を示す図。
【発明を実施するための形態】
【００２０】
本発明が提案する挟持具は、所定の方向に開口している第一の開口部と第二の開口部とをそれぞれ備えていて、当該第一の開口部及び第二の開口部でそれぞれ被挟持物を挟持する第一の挟持部と第二の挟持部とが組み合わされてなるものである。
【００２１】
ここで、前記第一の挟持部及び前記第二の挟持部はそれぞれ第一の挟持部第一挟持片と第一の挟持部第二挟持片、第二の挟持部第一挟持片と第二の挟持部第二挟持片とを備えている。
【００２２】
そして、前記第一の挟持部第一挟持片の前記第一の開口部側の端と前記第一の挟持部第二挟持片の前記第一の開口部側の端とが互いに接近する方向に第一の付勢手段によって常に付勢されていることにより前記第一の開口部で被挟持物が挟持される。
【００２３】
また、前記第二の挟持部第一挟持片の前記第二の開口部側の端と前記第二の挟持部第二挟持片の前記第二の開口部側の端とが互いに接近する方向に第二の付勢手段によって常に付勢されていることにより前記第二の開口部で被挟持物が挟持される。
【００２４】
このような構造からなる本願の挟持具は、更に、前記第一の挟持部第一挟持片の前記第二の挟持部に対応する側の面及び前記第二の挟持部第一挟持片の前記第一の挟持部に対応する側の面それぞれに着脱手段が備えられていて、当該着脱手段によって、前記第一の挟持部と第二の挟持部とが着脱自在になっている点に特徴を有している。
【００２５】
前記の着脱手段は、例えば、前記第一の挟持部第一挟持片の前記第二の挟持部に対応する側の面と、前記第二の挟持部第一挟持片の前記第一の挟持部に対応する側の面とを掛脱自在に掛合する掛合手段にすることができる。
【００２６】
前述した本発明の挟持具の第一の挟持部及び第二の挟持部の第一の開口部及び第二の開口部で、トートバッグのように上部が開口している鞄の当該開口している開口部の対向している開口端縁をそれぞれ挟持する。
【００２７】
そして、第一の開口部と第二の開口部とが互いに同方向に向くように、第一の挟持部及び第二の挟持部を互いに接近させ、第一の挟持部第一挟持片の第二の挟持部に対応する側の面と、第二の挟持部第一挟持片の第一の挟持部に対応する側の面それぞれに備えられている着脱手段によって、第一の挟持部第一挟持片の第二の挟持部に対応する側の面と、第二の挟持部第一挟持片の第一の挟持部に対応する側の面とを掛合する。これによって、第一の挟持部と第二の挟持部とが結合され、トートバッグのように上部が開口している鞄の当該開口している開口部を閉鎖することができる。
【００２８】
また、上述のトートバッグのように上部が開口している鞄の当該開口している開口部を閉鎖する際に、第一の開口部と第二の開口部とが互いに同方向に向くように、第一の挟持部及び第二の挟持部を互いに接近させるほか、第一の開口部と第二の開口部とが例えば直角を形成するような方向へ向くように、第一の挟持部及び第二の挟持部を互いに接近させ、第一の挟持部第一挟持片の第二の挟持部に対応する側の面と、第二の挟持部第一挟持片の第一の挟持部に対応する側の面それぞれに備えられている着脱手段によって、第一の挟持部第一挟持片の第二の挟持部に対応する側の面と、第二の挟持部第一挟持片の第一の挟持部に対応する側の面とを掛合して前記開口部を閉鎖することもできる。
【００２９】
前記鞄の開口部を、再度、開放する場合には、第一の挟持部及び第二の挟持部の第一の開口部及び第二の開口部がそれぞれ鞄の開口部の対向している開口端縁を挟持している状態で、前記着脱手段による掛合を解除し、第一の挟持部と第二の挟持部とを離すだけでよい。
【００３０】
これによって、従来から使用されているスナップボタンなどの留め具を用いずに、トートバッグなどの上部が開口している鞄の開口部を閉じることができる。
【００３１】
このように、従来から使用されているスナップボタンなどの留め具を用いずに、トートバッグなどの上部が開口している鞄の開口部を開閉することができるので、スナップボタンなどの留め具を用いていない鞄を購入者がより選択しやすくなるという期待が高まる。
【００３２】
また、本発明が提案する挟持具を鞄のデザインに合わせて選択することも可能であるので、鞄の使用者のファッションセンスを発揮する幅が大きく広がる効果がある。
【００３３】
また、前述した本発明の挟持具の第一の挟持部及び第二の挟持部の第一の開口部及び第二の開口部を互いに対向する方向又は、例えば直角を形成するような方向に開口させることで、第一の挟持部及び第二の挟持部の第一の開口部及び第二の開口部で、従来のワイシャツ、ブラウス等において留め合わせを行うためにボタンとこれに対応するボタン孔とが配備・形成されていた個所をそれぞれ挟持することもできる。これによって、ワイシャツ、ブラウス等の衣服に従来のようにボタンとこれに対応するボタン孔とを配備・形成する必要なしに、ボタンとこれに対応するボタン孔とによって行われていた衣服の留め合わせを行うこともできる。
【００３４】
このように、ボタン及びボタン孔を用いずに衣服を留め合わせることを可能にすることにより、デザイン開発や製造工程において必ずボタン及びボタン孔を設けねばならないという制約が解消される。
【００３５】
そして、ボタン及びボタン孔を設ける必要がなくなることから、従来になかった斬新なデザインやアイデアが誕生する可能性及び、製造コストを従来より低廉に抑える可能性を広げることができる。
【００３６】
また、従来、ボタンやボタン孔が配備、形成されていたところにこれらを配備、形成する必要がなくなり、ボタン及びボタン孔を用いずに衣服を留め合わせることが可能になるので、身に付けた衣服の留め合わせを行う個所、その個数を衣服着用者が自由に決めることができる。そこで、着用者のファッションセンスを発揮する幅が大きく広がる効果がある。
【００３７】
さらに、着用する衣服にボタン及びボタン孔を配備、形成する必要がないことにより、すっきりした衣服の着こなしが可能になる。
【００３８】
前述した掛合手段としては、前記掛合手段からなる着脱手段がそれぞれ備えられている第一の挟持部第一挟持片の第二の挟持部に対応する側の面と、第二の挟持部第一挟持片の第一の挟持部に対応する側の面とが、互いに接近して掛合され、また、当該掛合状態を解除できるように着脱自在になるものであれば、従来公知の種々のものを採用できる。例えば、スナップボタンや、ホックなどを採用することができる。また、磁石や、面ファスナーなどによって構成することもできる。
【実施例１】
【００３９】
本発明の第一の実施例を図１及び図３を参照して説明する。
【００４０】
図１及び図３図示の実施例では、挟持具１ａは、第一の挟持部に相当するクリップ２ａと第二の挟持部に相当するクリップ２ｂとが組み合わされて構成されている。
【００４１】
クリップ２ａは、第一の開口部に相当する開口部３ａを備えており、この開口部３ａで被挟持物、例えば、トートバッグなどの鞄の開口部の対向している開口端縁の一方を挟持するようになっている。
【００４２】
クリップ２ｂは、第二の開口部に相当する開口部３ｂを備えており、この開口部３ｂで被挟持物、例えば、トートバッグなどの鞄の開口部の対向している開口端縁の他方を挟持するようになっている。
【００４３】
クリップ２ａが備えている開口部３ａと、クリップ２ｂが備えている開口部３ｂとは、図１図示のように、互いに同方向に向かって開口している。
【００４４】
なお、図１図示のほか、開口部３ａと開口部３ｂを例えば直角を形成するような方向へ開口させてもよい。
【００４５】
クリップ２ａは、第一の挟持部第一挟持片に相当する板体４ａと第一の挟持部第二挟持片に相当する板体４ｂを備えている。板体４ａの開口部３ａ側の端５ａと板体４ｂの開口部３ａ側の端５ｂとは互いに接近する方向に第一の付勢手段であるコイルスプリング６ａによって常に付勢されている。すなわち、板体４ａの後端側７ａと板体４ｂの後端側７ｂとは、第一の付勢手段であるコイルスプリング６ａによって常に矢印８ａ、８ｂ方向に付勢されている。こうして、板体４ａの開口部３ａ側の端５ａと、板体４ｂの開口部３ａ側の端５ｂとは互いに接近する方向に常に付勢されており、これにより開口部３ａで被挟持物（例えば、トートバッグ１３の開口部の対向している開口端縁の一方１３ａ）が挟持されるようになっている。
【００４６】
クリップ２ｂも同様の構造になっており、第二の挟持部第一挟持片に相当する板体４ｃと第二の挟持部第二挟持片に相当する板体４ｄを備えている。板体４ｃの開口部３ｂ側の端５ｃと板体４ｄの開口部３ｂ側の端５ｄとは互いに接近する方向に第二の付勢手段であるコイルスプリング６ｂによって常に付勢されている。すなわち、板体４ｃの後端側７ｃと板体４ｄの後端側７ｄとは、第二の付勢手段であるコイルスプリング６ｂによって常に矢印８ａ、８ｂ方向に付勢されている。このように、板体４ｃの開口部３ｂ側の端５ｃと、板体４ｄの開口部３ｂ側の端５ｄとは互いに接近する方向に常に付勢されており、これにより開口部３ｂで被挟持物（例えば、トートバッグ１３の開口部の対向している開口端縁の他方１３ｂ）が挟持されるようになっている。
【００４７】
図１図示の実施形態では、第一の挟持部第一挟持片に相当する板体４ａのクリップ２ｂに対向する側の面と、第二の挟持部第一挟持片に相当する板体４ｃのクリップ２ａに対向する側の面とにそれぞれ磁石板９ａ、９ｂが接合されており、磁石板９ａ、９ｂによってクリップ２ａとクリップ２ｂとが組み合わされて、本発明の挟持具１ａが構成されている。
【００４８】
次に、本発明の狭着具１ａを用いてトートバッグなどの上部が開口している鞄の開口部を閉じる一例を説明する。
【００４９】
挟持具１ａにおけるクリップ２ａの板体４ａの後端側７ａと板体４ｂの後端側７ｂとを、コイルスプリング６ａに抗して矢印８ａ、８ｂと反対の方向に押しつけ合ってクリップ２ａの開口部３ａを開口する。この開口している開口部３ａ内に、トートバッグ１３の開口端縁１３ａを挿入する。次いで、後端側７ａ、７ｂに加えていた力を取り除き、後端側７ａ、７ｂをコイルスプリング６ａの付勢力によって矢印８ａ、８ｂ方向に移動させ、板体４ａの開口部３ａ側の端５ａと、板体４ｂの開口部３ｂ側の端５ｂとを互いに接近させ、開口部３ａでトートバッグ１３の開口端縁１３ａを挟持する（図３（ａ））。
【００５０】
次に、挟持具１ｂにおけるクリップ２ｂの板体４ｃの後端側７ｃと板体４ｄの後端側７ｄとを、コイルスプリング６ｂに抗して矢印８ａ、８ｂと反対の方向に押しつけ合ってクリップ２ｂの開口部３ｂを開口する。この開口している開口部３ｂ内に、トートバッグ１３の開口端縁１３ｂを挿入する。次いで、後端側７ｃ、７ｄに加えていた力を取り除き、後端側７ｃ、７ｄをコイルスプリング６ｂの付勢力によって矢印８ａ、８ｂ方向に移動させ、板体４ｃの開口部３ｂ側の端５ｃと、板体４ｄの開口部３ｂ側の端５ｄとを互いに接近させ、開口部３ｂでトートバッグ１３の開口端縁１３ｂを挟持する（図３（ａ））。
【００５１】
次に、クリップ２ａとクリップ２ｂを接近させ、板体４ａのクリップ２ｂに対向する側の面と、板体４ｃのクリップ２ａに対向する側の面とにそれぞれ接合されている磁石板９ａ、９ｂでクリップ２ａとクリップ２ｂを結合させて、トートバッグ１３の開口部１４を閉じる（図３（ｂ））。
【００５２】
なお、図示していないが、上述のトートバッグ１３の開口部１４を閉鎖する際に、図３図示の第一の開口部３ａと第二の開口部３ｂとが互いに同方向に向くように、クリップ２ａ及びクリップ２ｂを互いに接近させるほか、第一の開口部３ａと第二の開口部３ｂとが例えば直角を形成するような方向へ向くように、クリップ２ａ及びクリップ２ｂを互いに接近させ、板体４ａのクリップ２ｂに対向する側の面と、板体４ｃのクリップ２ａに対向する側の面とにそれぞれ接合されている磁石板９ａ、９ｂでクリップ２ａとクリップ２ｂを結合させて、トートバッグ１３の開口部１４を閉じることもできる。
【００５３】
このように本発明の挟持具１ａが備えている第一の挟持部に相当するクリップ２ａ及び第二の挟持部に相当するクリップ２ｂの第一の開口部に相当する開口部３ａ及び第二の開口部に相当する開口部３ｂで、従来のトートバッグなどの上部が開口している鞄において、当該開口している開口部を閉じるために開口部１４の一方の開口端縁１３ａ及び他方の開口端縁１３ｂをそれぞれ挟持する。そして、クリップ２ａ及びクリップ２ｂを接近させ、板体４ａのクリップ２ｂに対向する側の面と、板体４ｃのクリップ２ａに対向する側の面それぞれに備えられている磁石板９ａ、９ｂでクリップ２ａとクリップ２ｂを結合する。
【００５４】
これによって、従来から使用されているスナップボタンなどの留め具を用いずに、トートバッグなどの上部が開口している鞄の開口部１４を閉じることができる。
【００５５】
また、鞄内に収容する荷物の量が使用者の予想に反して増えた場合でも、本発明の挟持具１ａを鞄の開口部１４の一方の開口端縁１３ａ及び他方の開口端縁１３ｂにそれぞれ取り付けることによって鞄の開口部１４を閉じた状態に維持することができるので、鞄内に荷物を確実に収容することができる。
【００５６】
前述した第一の挟持部第一挟持片に相当する板体４ａ、第一の挟持部第二挟持片に相当する板体４ｂ、第二の挟持部第一挟持片に相当する板体４ｃ、第二の挟持部第二挟持片に相当する板体４ｄは合成樹脂製、あるいは金属製にすることができる。
【実施例２】
【００５７】
本発明の第二の実施例を図２及び図４を参照して説明する。
【００５８】
なお、図２、図４図示の実施例において前述した実施例１、図１、図３で説明した構造部分と共通する部分に関しては図１、図３と同一の符号を付けてその説明を省略する。
【００５９】
図２及び図４図示の実施例では、挟持具１ｂは、第一の挟持部に相当するクリップ１０ａと第二の挟持部に相当するクリップ１０ｂとが組み合わされて構成されている。
【００６０】
クリップ１０ａは、第一の開口部に相当する開口部３ａを備えており、この開口部３ａで被挟持物、例えば、トートバッグなどの鞄の開口部の対向する開口端縁の一方を挟持するようになっている。
【００６１】
クリップ１０ｂは、第二の開口部に相当する開口部３ｂを備えており、この開口部３ｂで被挟持物、例えば、トートバッグなどの鞄の開口部の対向する開口端縁の他方を挟持するようになっている。
【００６２】
クリップ１０ａが備えている開口部３ａと、クリップ１０ｂが備えている開口部３ｂとは、図２図示のように、互いに同方向に開口している。
【００６３】
なお、図２図示のほか、開口部３ａと開口部３ｂを例えば直角を形成するような方向へ開口させてもよい。
【００６４】
クリップ１０ａは、第一の挟持部第一挟持片に相当する板体４ａと第一の挟持部第二挟持片に相当する板体４ｂを備えている。
【００６５】
クリップ１０ａは、実施例１、図１を用いて説明したクリップ２ａと同一の構造になっている。板体４ａの後端側７ａと板体４ｂの後端側７ｂとを常に矢印８ａ、８ｂ方向に付勢している第一の付勢手段を板ばね１１ａとしている構造が、実施例１、図１におけるコイルスプリング６ａの構造と相違しているだけであるので、実施例１、図１、図３を用いて説明したクリップ２ａと同一の構造部分については同一の符号を付けてクリップ１０ａの説明を省略する。
【００６６】
同様に、クリップ１０ｂは、実施例１、図１を用いて説明したクリップ２ｂと同一の構造になっている。板体４ｃの後端側７ｃと板体４ｄの後端側７ｄとを常に矢印８ａ、８ｂ方向に付勢している第二の付勢手段を板ばね１１ｂとしている構造が、実施例１、図１におけるコイルスプリング６ｂの構造と相違しているだけであるので、実施例１、図１、図３を用いて説明したクリップ２ｂと同一の構造部分については同一の符号を付けてクリップ１０ｂの説明を省略する。
【００６７】
図２図示の実施形態では、第一の挟持部第一挟持片に相当する板体４ａのクリップ１０ｂに対向する側の面に面ファスナーのフック状部１２ａが接合され、第二の挟持部第一挟持片に相当する板体４ｃのクリップ１０ａに対向する側の面に面ファスナーのループ状部１２ｂが接合されており、面ファスナーのフック状部１２ａ、ループ状部１２ｂによってクリップ１０ａとクリップ１０ｂとが組み合わされて、本発明の挟持具１ｂが構成されている。
【００６８】
次に、本発明の狭着具１ｂを用いてトートバッグなどの上部が開口している鞄の開口部を閉じる一例を説明する。
【００６９】
挟持具１ｂにおけるクリップ１０ａの板体４ａの後端側７ａと板体４ｂの後端側７ｂとを、板ばね１１ａに抗して矢印８ａ、８ｂと反対の方向に押しつけ合ってクリップ１０ａの開口部３ａを開口する。この開口している開口部３ａ内に、トートバッグ１３の開口部の対向している一方の開口端縁１３ａを挿入する。次いで、後端側７ａ、７ｂに加えていた力を取り除き、後端側７ａ、７ｂを板ばね１１ａの付勢力によって矢印８ａ、８ｂ方向に移動させ、板体４ａの開口部３ａ側の端５ａと、板体４ｂの開口部３ｂ側の端５ｂとを互いに接近させ、開口部３ａでトートバッグ１３の開口端縁１３ａを挟持する（図４（ａ））。
【００７０】
次に、挟持具１ｂにおけるクリップ１０ｂの板体４ｃの後端側７ｃと板体４ｄの後端側７ｄとを、板ばね１１ｂに抗して矢印８ａ、８ｂと反対の方向に押しつけ合ってクリップ１０ｂの開口部３ｂを開口する。この開口している開口部３ｂ内に、トートバッグ１３の開口部の対向している他方の開口端縁１３ｂを挿入する。次いで、後端側７ｃ、７ｄに加えていた力を取り除き、後端側７ｃ、７ｄを板ばね１１ｂの付勢力によって矢印８ａ、８ｂ方向に移動させ、板体４ｃの開口部３ｂ側の端５ｃと、板体４ｄの開口部３ｂ側の端５ｄとを互いに接近させ、開口部３ｂでトートバッグ１３の開口部の他方の開口端縁１３ｂを挟持する（図４（ａ））。
【００７１】
次に、クリップ１０ａとクリップ１０ｂを接近させ、板体４ａのクリップ１０ｂに対向する側の面に接合されている面ファスナーのフック状部１２ａと、板体４ｃのクリップ１０ａに対向する側の面に接合されている面ファスナーのループ状部１２ｂとでクリップ１０ａとクリップ１０ｂを結合させて、トートバッグ１３の開口部１４を閉じる（図４（ｂ））。
【００７２】
なお、図示していないが、上述のトートバッグ１３の開口部１４を閉鎖する際に、図４図示の第一の開口部３ａと第二の開口部３ｂとが互いに同方向に向くように、クリップ１０ａ及びクリップ１０ｂを互いに接近させるほか、第一の開口部３ａと第二の開口部３ｂとが例えば直角を形成するような方向へ向くように、クリップ１０ａ及びクリップ１０ｂを互いに接近させ、板体４ａのクリップ１０ｂに対向する側の面に接合されている面ファスナーのフック状部１２ａと、板体４ｃのクリップ１０ａに対向する側の面に接合されている面ファスナーのループ状部１２ｂとでクリップ１０ａとクリップ１０ｂを結合させて、トートバッグ１３の開口部１４を閉じることもできる。
【００７３】
このように本発明の挟持具１ｂが備えている第一の挟持部に相当するクリップ１０ａ及び第二の挟持部に相当するクリップ１０ｂの第一の開口部に相当する開口部３ａ及び第二の開口部に相当する開口部３ｂで、従来のトートバッグなどの上部が開口している鞄において、当該開口している開口部を閉じるために鞄の開口部の対向している一方の開口端縁と他方の開口端縁とをそれぞれ挟持する。そして、クリップ１０ａ及びクリップ１０ｂを接近させ、板体４ａのクリップ１０ｂに対向する側の面に接合されている面ファスナーのフック状部１２ａと、板体４ｃのクリップ１０ａに対向する側の面に接合されている面ファスナーのループ状部１２ｂとでクリップ１０ａとクリップ１０ｂを結合する。
【００７４】
これによって、従来から使用されているスナップボタンなどの留め具を用いずに、トートバッグなどの上部が開口している鞄の開口部を閉じることができる。
【００７５】
また、鞄内に収容する荷物の量が使用者の予想に反して増えた場合でも、本発明の挟持具１ａを鞄の開口部１４の一方の開口端縁１３ａ及び他方の開口端縁１３ｂにそれぞれ取り付けることによって鞄の開口部１４を閉じた状態に維持することができるので、鞄内に荷物を確実に収容することができる。
【実施例３】
【００７６】
本発明の第三の実施例を図５（ａ）及び図６（ａ）を参照して説明する。
【００７７】
図５（ａ）及び図６（ａ）図示の実施例では、挟持具１ｃは、第一の挟持部に相当するクリップ２ａと第二の挟持部に相当するクリップ２ｂとが組み合わされて構成されている。
【００７８】
本実施例の挟持具１ｃにおいて、第一の開口部に相当する開口部３ａと第二の開口部に相当する開口部３ｂとが互いに対向する方向に開口している構造が、第一の実施例における挟持具１ａの構造と相違しているだけなので、実施例１、図１、図３で説明した構造部分と共通する部分に関しては図１、図３と同一の符号を付けてその説明を省略する。
【００７９】
なお、第一の開口部３ａと第二の開口部３ｂが開口する方向は、図５（ａ）図示の互いに対向する方向のほか、例えば直角を形成するような方向とすることもできる。
【００８０】
次に、本実施例の挟持具１ｃを用いて衣服の留め合わせを行う一例を説明する。
【００８１】
挟持具１ｃにおけるクリップ２ｂの板体４ｃの後端側７ｃと板体４ｄの後端側７ｄとを、コイルスプリング６ｂに抗して矢印８ａ、８ｂと反対の方向に押しつけ合ってクリップ２ｂの開口部３ｂを開口する。この開口している開口部３ｂ内に、衣服、例えば、男性用のワイシャツ１５の右前身頃１６の端縁１６ａを挿入する。次いで、後端側７ｃ、７ｄに加えていた力を取り除き、後端側７ｃ、７ｄをコイルスプリング６ｂの付勢力によって矢印８ａ、８ｂ方向に移動させ、板体４ｃの開口部３ｂ側の端５ｃと、板体４ｄの開口部３ｂ側の端５ｄとを互いに接近させ、開口部３ｂでワイシャツ１５の右前身頃１６の端縁１６ａを挟持する（図６（ａ））。
【００８２】
次に、挟持具１ｃにおけるクリップ２ａの板体４ａの後端側７ａと板体４ｂの後端側７ｂとを、コイルスプリング６ａに抗して矢印８ａ、８ｂと反対の方向に押しつけ合ってクリップ２ａの開口部３ａを開口する。この開口している開口部３ａ内に、ワイシャツ１５の左前身頃１７の端縁１７ａを挿入する。次いで、後端側７ａ、７ｂに加えていた力を取り除き、後端側７ａ、７ｂをコイルスプリング６ａの付勢力によって矢印８ａ、８ｂ方向に移動させ、板体４ａの開口部３ａ側の端５ａと、板体４ｂの開口部３ａ側の端５ｂとを互いに接近させ、開口部３ａでワイシャツ１５の左前身頃１７の端縁１７ａを挟持する（図（図６（ａ））。
【００８３】
次に、クリップ２ａとクリップ２ｂを接近させ、板体４ａのクリップ２ｂに対向する側の面と、板体４ｃのクリップ２ａに対向する側の面とにそれぞれ接合されている磁石板９ａ、９ｂでクリップ２ａとクリップ２ｂを結合させる。
【００８４】
こうして、右前身頃１６と左前身頃１７がずれないように注意して、挟持具１ｃのクリップ２ａ、クリップ２ｂでワイシャツ１５の右前身頃１６の端縁１６ａとこれに対応する位置の左前身頃１７の端縁１７ａとを挟持する。
【００８５】
前記作業を所定の個数分行うことでワイシャツ１５の右前身頃１６と左前身頃１７を留め合わせることができる（図６（ａ））。
【００８６】
また、図示していないが、片側の前身頃縁部にのみ挟持具１ｃのクリップ２ａ又はクリップ２ｂを取り付けた状態にすることもできる。
【００８７】
このように本実施例の挟持具１ｃが備えている第一の挟持具に相当するクリップ２ａ及び第二の挟持具に相当するクリップ２ｂの第一の開口部に相当する開口部３ａ及び第二の開口部に相当する開口部３ｂで、従来のワイシャツ、ブラウス等において留め合わせを行うためにボタンとこれに対応するボタン孔とが配備・形成されていた個所をそれぞれ挟持する。これによって、ワイシャツ、ブラウス等の衣服に従来のようにボタンとこれに対応するボタン孔とを配備・形成する必要なしに、ボタンとこれに対応するボタン孔とによって行われていた衣服の留め合わせを行うことができる。
【００８８】
前述した第一の挟持具第一挟持片に相当する板体４ａ、第一の挟持具第二挟持片に相当する板体４ｂ、第二の挟持具第一挟持片に相当する板体４ｃ、第二の挟持具第二挟持片に相当する板体４ｄは合成樹脂製、あるいは金属製にすることができる。
【実施例４】
【００８９】
本発明の第四の実施例を図５（ｂ）及び図６（ｂ）を参照して説明する。
【００９０】
図５（ｂ）及び図６（ｂ）図示の実施例では、挟持具１ｄは、第一の挟持部に相当するクリップ１０ａと第二の挟持部に相当するクリップ１０ｂとが組み合わされて構成されている。
【００９１】
本実施例の挟持具１ｄにおいて、第一の開口部に相当する開口部３ａと第二の開口部に相当する開口部３ｂとが互いに対向する方向に開口している構造が、第二の実施例における挟持具１ｂの構造と相違しているだけなので、実施例２、図２、図４で説明した構造部分と共通する部分に関しては図２、図４と同一の符号を付けてその説明を省略する。
【００９２】
なお、第一の開口部３ａと第二の開口部３ｂが開口する方向は、図５（ｂ）図示の互いに対向する方向のほか、例えば直角を形成するような方向とすることもできる。
【００９３】
次に、本実施例の挟持具１ｄを用いて衣服の留め合わせを行う一例を説明する。
【００９４】
挟持具１ｄにおけるクリップ１０ｂの板体４ｃの後端側７ｃと板体４ｄの後端側７ｄとを、板ばね１１ｂに抗して矢印８ａ、８ｂと反対の方向に押しつけ合ってクリップ１０ｂの開口部３ｂを開口する。この開口している開口部３ｂ内に、衣服、例えば、男性用のワイシャツ１５の右前身頃１６の端縁１６ａを挿入する。次いで、後端側７ｃ、７ｄに加えていた力を取り除き、後端側７ｃ、７ｄを板ばね１１ｂの付勢力によって矢印８ａ、８ｂ方向に移動させ、板体４ｃの開口部３ｂ側の端５ｃと、板体４ｄの開口部３ｂ側の端５ｄとを互いに接近させ、開口部３ｂでワイシャツ１５の右前身頃１６の端縁１６ａを挟持する（図６（ｂ））。
【００９５】
次に、挟持具１ｄにおけるクリップ１０ａの板体４ａの後端側７ａと板体４ｂの後端側７ｂとを、板ばね１１ａに抗して矢印８ａ、８ｂと反対の方向に押しつけ合ってクリップ１０ａの開口部３ａを開口する。この開口している開口部３ａ内に、ワイシャツ１５の左前身頃１７の端縁１７ａを挿入する。次いで、後端側７ａ、７ｂに加えていた力を取り除き、後端側７ａ、７ｂを板ばね１１ａの付勢力によって矢印８ａ、８ｂ方向に移動させ、板体４ａの開口部３ａ側の端５ａと、板体４ｂの開口部３ａ側の端５ｂとを互いに接近させ、開口部３ａでワイシャツ１５の左前身頃１７の端縁１７ａを挟持する（図６（ｂ））。
【００９６】
次に、クリップ１０ａとクリップ１０ｂを接近させ、板体４ａのクリップ１０ｂに対向する側の面に接合されている面ファスナーのフック状部１２ａと、板体４ｃのクリップ１０ａに対向する側の面に接合されている面ファスナーのループ状部１２ｂとでクリップ１０ａとクリップ１０ｂを結合させる。
【００９７】
こうして、右前身頃１６と左前身頃１７がずれないように注意して、挟持具１ｄのクリップ１０ａ、クリップ１０ｂでワイシャツ１５の右前身頃１６の端縁１６ａとこれに対応する位置の左前身頃１７の端縁１７ａとを挟持する。
【００９８】
前記作業を所定の個数分行うことでワイシャツ１５の右前身頃１６と左前身頃１７を留め合わせることができる（図６（ｂ））。
【００９９】
また、図示していないが、片側の前身頃縁部にのみ挟持具１ｄのクリップ１０ａ又はクリップ１０ｂを取り付けた状態にすることもできる。
【０１００】
このように本実施例の挟持具１ｄが備えている第一の挟持具に相当するクリップ１０ａ及び第二の挟持具に相当するクリップ１０ｂの第一の開口部に相当する開口部３ａ及び第二の開口部に相当する開口部３ｂで、従来のワイシャツ、ブラウス等において留め合わせを行うためにボタンとこれに対応するボタン孔とが配備・形成されていた個所をそれぞれ挟持する。これによって、ワイシャツ、ブラウス等の衣服に従来のようにボタンとこれに対応するボタン孔とを配備・形成する必要なしに、ボタンとこれに対応するボタン孔とによって行われていた衣服の留め合わせを行うことができる。
【０１０１】
前述した第一の挟持具第一挟持片に相当する板体４ａ、第一の挟持具第二挟持片に相当する板体４ｂ、第二の挟持具第一挟持片に相当する板体４ｃ、第二の挟持具第二挟持片に相当する板体４ｄは合成樹脂製、あるいは金属製にすることができる。
【０１０２】
なお、図示していないが、前述した実施例３及び４の挟持具１ｃ及び１ｄにおいて、衣服の端縁を挟持した際に外側になる板体４ｂの外側面（図１（ｃ）、図２（ｃ）中、上側面）、板体４ｄの外側面（図１（ｃ）、図２（ｃ）中、下側面）に装飾を施しておくことにより、本実施形態の挟持具１ｃ、１ｄにより、従来のワイシャツ、ブラウス等において留め合わせを行うためにボタンとこれに対応するボタン孔とが配備・形成されていた個所をそれぞれ挟持し、これによって、従来のボタンとこれに対応するボタン孔とによって行われていた衣服の留め合わせを行ったときに、板体４ｂの外側面あるいは、板体４ｄの外側面によって装飾的な効果を発揮させることもできる。
【０１０３】
また、図示していないが、前述した実施例３及び４の挟持具１ｃ及び１ｄにおいて、装飾具取付具を第一の挟持具に相当するクリップ２ａ、１０ａ、第二の挟持具に相当するクリップ２ｂ、１０ｂにそれぞれ配備しておき、この先端にフック形状を有する装飾具取付具に、衣服の着用者が保有しているアクセサリーなどを取り付けることにより装飾的効果を高めることもできる。
【０１０４】
以上、添付図面を参照して本発明の好ましい実施形態、実施例を説明したが、本発明はかかる実施形態、実施例に限定されること無く、特許請求の範囲の記載から把握される技術的範囲において種々に変更可能である。
【符号の説明】
【０１０５】
１ａ、１ｂ、１ｃ、１ｄ  挟持具
２ａ  クリップ（第一の挟持部）
２ｂ  クリップ（第二の挟持部）
３ａ  開口部（第一の開口部）
３ｂ  開口部（第二の開口部）
４ａ  板体（第一の挟持部第一挟持片）
４ｂ  板体（第一の挟持部第二挟持片）
４ｃ  板体（第二の挟持部第一挟持片）
４ｄ  板体（第二の挟持部第二挟持片）
５ａ  第一の挟持部第一挟持片の第一の開口部側の端
５ｂ  第一の挟持部第二挟持片の第一の開口部側の端
５ｃ  第二の挟持部第一挟持片の第二の開口部側の端
５ｄ  第二の挟持部第二挟持片の第二の開口部側の端
６ａ  コイルスプリング（第一の付勢手段）
６ｂ  コイルスプリング（第二の付勢手段）
７ａ  第一の挟持部第一挟持片の後端側
７ｂ  第一の挟持部第二挟持片の後端側
７ｃ  第二の挟持部第一挟持片の後端側
７ｄ  第二の挟持部第二挟持片の後端側
９ａ、９ｂ  磁石板（着脱手段）
１０ａ  クリップ（第一の挟持部）
１０ｂ  クリップ（第二の挟持部）
１１ａ  板ばね（第一の付勢手段）
１１ｂ  板ばね（第二の付勢手段）
１２ａ  面ファスナーのフック状部（着脱手段）
１２ｂ  面ファスナーのループ状部（着脱手段）
１３  トートバッグ
１３ａ、１３ｂ  開口部の互いに対向している開口端縁
１４  開口部
【要約】 
【課題】トートバッグなどのように開口部を有する鞄において従来から使用されているスナップボタンなどの留め具を用いずに当該開口部を開閉できるなどの挟持具。
【解決手段】所定の方向に開口している第一の開口部と第二の開口部とをそれぞれ備えていて、当該第一の開口部及び第二の開口部でそれぞれ被挟持物を挟持する第一の挟持部と第二の挟持部とが組み合わされてなる挟持具。第一の挟持部及び第二の挟持部はそれぞれ第一の挟持部第一挟持片と第一の挟持部第二挟持片、第二の挟持部第一挟持片と第二の挟持部第二挟持片とを備えている。第一の挟持部第一挟持片の第二の挟持部に対応する側の面及び第二の挟持部第一挟持片の第一の挟持部に対応する側の面それぞれに着脱手段が備えられていて、当該着脱手段によって第一の挟持部と第二の挟持部とが着脱自在になっている。
【選択図】図１【図１】
0005220214.tif 000002
【図２】
0005220214.tif 000003
【図３】
0005220214.tif 000004
【図４】
0005220214.tif 000005
【図５】
0005220214.tif 000006
【図６】
0005220214.tif 000007